(57)【要約】【課題】敷居の溝の内面とこすれる際に発生する音を抑制しつつ、寿命を長くすることができるエレベータドアの案内装置を提供する。【解決手段】エレベータドアの案内装置は、エレベータドアの下部に設けられ、エレベータの敷居の溝に案内される取付体と、前記取付体の外周面に設けられ、前記溝の内面の側に低摩擦繊維と耐摩耗繊維とを配置させた布体と、を備えた。当該構成を備えることにより、敷居の溝の内面とこすれる際に発生する音を抑制しつつ、寿命を長くすることができる。【選択図】図３
2017088253.tif 000002
【特許請求の範囲】
【請求項１】
エレベータドアの下部に設けられ、エレベータの敷居の溝に案内される取付体と、
前記取付体の外周面に設けられ、前記溝の内面の側に低摩擦繊維と耐摩耗繊維とを配置させた布体と、
を備えたエレベータドアの案内装置。
【請求項２】
エレベータドアの下部に設けられ、エレベータの敷居の溝に案内される取付体と、
前記取付体の外周面から前記溝の内面の方向に層となるように設けられ、前記溝の内面の側に低摩擦繊維と耐摩耗繊維とを配置させた複数の布体と、
を備えたエレベータドアの案内装置。
【請求項３】
前記布体は、前記低摩擦繊維と前記耐摩耗繊維とよりも前記取付体の側に配置された高摩擦繊維を備えた請求項１または請求項２に記載のエレベータドアの案内装置。
【請求項４】
前記取付体に対して前記布体を着脱自在に固定する固定体、
を備えた請求項１から請求項３のいずれか一項に記載のエレベータドアの案内装置。
【請求項５】
前記取付体は、
前記エレベータの下部に設けられた取付部と、
前記取付部の下部に着脱自在に設けられた被案内部と、
を備え、
前記布体は、前記被案内部の外周面に設けられた請求項１から請求項４のいずれか一項に記載のエレベータドアの案内装置。
【発明の詳細な説明】
【技術分野】
【０００１】
この発明は、エレベータドアの案内装置に関する。
【背景技術】
【０００２】
特許文献１は、エレベータドアの案内装置を開示する。当該案内装置は、敷居の溝の内面の側に低摩擦材を配置させる。このため、エレベータドアの開閉時において、敷居の溝の内面と案内装置とがこすれる際に発生する音を抑制することができる。
【先行技術文献】
【特許文献】
【０００３】
【特許文献１】特開平８−９９７８９号公報
【発明の概要】
【発明が解決しようとする課題】
【０００４】
しかしながら、特許文献１に記載の低摩擦材は、摩耗しやすい。このため、案内装置の寿命を長くすることができない。
【０００５】
この発明は、上述の課題を解決するためになされた。この発明の目的は、敷居の溝の内面とこすれる際に発生する音を抑制しつつ、寿命を長くすることができるエレベータドアの案内装置を提供することである。
【課題を解決するための手段】
【０００６】
この発明に係るエレベータドアの案内装置は、エレベータドアの下部に設けられ、エレベータの敷居の溝に案内される取付体と、前記取付体の外周面に設けられ、前記溝の内面の側に低摩擦繊維と耐摩耗繊維とを配置させた布体と、を備えた。
【０００７】
この発明に係るエレベータドアの案内装置は、エレベータドアの下部に設けられ、エレベータの敷居の溝に案内される取付体と、前記取付体の外周面から前記溝の内面の方向に層となるように設けられ、前記溝の内面の側に低摩擦繊維と耐摩耗繊維とを配置させた複数の布体と、を備えた。
【発明の効果】
【０００８】
これらの発明によれば、布体は、敷居の溝の内面の側に低摩擦繊維と耐摩耗繊維とを配置させる。このため、敷居の溝の内面とこすれる際に発生する音を抑制しつつ、案内装置の寿命を長くすることができる。
【図面の簡単な説明】
【０００９】
【図１】この発明の実施の形態１におけるエレベータドアの案内装置が適用されたエレベータの縦断面図である。
【図２】この発明の実施の形態１におけるエレベータドアの案内装置が適用されたエレベータの乗場出入口の正面図である。
【図３】この発明の実施の形態１におけるエレベータドアの案内装置の縦断面図である。
【図４】この発明の実施の形態１におけるエレベータドアの案内装置の正面図である。
【図５】この発明の実施の形態１におけるエレベータドアの案内装置の縦断面図である。
【図６】この発明の実施の形態２におけるエレベータドアの案内装置の縦断面図である。
【図７】この発明の実施の形態２におけるエレベータドアの案内装置に用いられた布体１０の断面図である。
【図８】この発明の実施の形態３におけるエレベータドアの案内装置の側面図である。
【図９】この発明の実施の形態３におけるエレベータドアの案内装置の一部分を断面で示した正面図である。
【図１０】この発明の実施の形態３におけるエレベータドアの案内装置の横断面図である。
【図１１】この発明の実施の形態４におけるエレベータドアの案内装置の縦断面図である。
【発明を実施するための形態】
【００１０】
この発明を実施するための形態について添付の図面に従って説明する。なお、各図中、同一又は相当する部分には同一の符号が付される。当該部分の重複説明は適宜に簡略化ないし省略される。
【００１１】
実施の形態１．
図１はこの発明の実施の形態１におけるエレベータドアの案内装置が適用されたエレベータの縦断面図である。
【００１２】
図１において、エレベータの昇降路１は、建築物の各階を貫く。エレベータの乗場２は、建築物の各階に設けられる。各乗場２は、昇降路１に対向する。エレベータのかご３は、昇降路１の内部に設けられる。
【００１３】
乗場ドア４は、エレベータドアとして各階の乗場出入口に設けられる。かごドア５は、エレベータドアとしてかご出入口に設けられる。
【００１４】
かご３が各階に停止している際にかごドア５が開くと、乗場ドア４が連動して開く。かごドア５が閉じると、乗場ドア４が連動して閉じる。
【００１５】
次に、図２を用いて、エレベータドアを説明する。
図２はこの発明の実施の形態１におけるエレベータドアの案内装置が適用されたエレベータの乗場出入口の正面図である。
【００１６】
図２において、乗場ドア４が閉じている際、乗場ドア４の一方は、乗場出入口の一側を塞ぐ。乗場ドア４の他方は、乗場出入口の他側を塞ぐ。乗場ドア４が開く際、乗場ドア４の一方は、乗場出入口の一縁部の側に移動する。乗場ドア４の他方は、乗場出入口の他縁部の側に移動する。その結果、乗場出入口が開放される。
【００１７】
図示しないが、かごドア５が閉じている際、かごドア５の一方は、かご出入口の一側を塞ぐ。かごドア５の他方は、かご出入口の他側を塞ぐ。かごドア５が開く際、かごドア５の一方は、かご出入口の一縁部の側に移動する。かごドア５の他方は、かご出入口の他縁部の側に移動する。その結果、かご出入口が開放される。
【００１８】
次に、図３を用いて、エレベータドアの案内装置８を説明する。
図３はこの発明の実施の形態１におけるエレベータドアの案内装置の縦断面図である。
【００１９】
図３において、乗場敷居６は、乗場２の床面に設けられる。乗場敷居６は、溝を有する。かご敷居７は、かご３の床面に設けられる。かご敷居７は、溝を有する。
【００２０】
案内装置８の一方は、取付体９と布体１０とを備える。例えば、取付体９は、金属で形成される。取付体９は、取付部９ａと被案内部９ｂとを備える。取付部９ａは、乗場ドア４の下部に設けられる。例えば、取付部９ａは、ボルト１１により乗場ドア４の下部に固定される。被案内部９ｂは、取付部９ａの下部に連結される。被案内部９ｂの幅は、取付部９ａの幅よりも広い。被案内部９ｂは、乗場敷居６の溝に案内される。布体１０は、取付体９の被案内部９ｂの外周面を全体的に覆う。例えば、布体１０は、低摩擦繊維１０ａと耐摩耗繊維１０ｂとが編み込まれることにより形成される。布体１０は、乗場敷居６の溝の内面の側に低摩擦繊維１０ａと耐摩耗繊維１０ｂとを配置させる。
【００２１】
案内装置８の他方は、取付体９と布体１０とを備える。例えば、取付体９は、金属で形成される。取付体９は、取付部９ａと被案内部９ｂとを備える。取付部９ａは、かごドア５の下部に設けられる。例えば、取付部９ａは、ボルト１１によりかごドア５の下部に固定される。被案内部９ｂは、取付部９ａの下部に連結される。被案内部９ｂの幅は、取付部９ａの幅よりも広い。被案内部９ｂは、かご敷居７の溝に案内される。布体１０は、取付体９の被案内部９ｂの外周面を全体的に覆う。例えば、布体１０は、低摩擦繊維１０ａと耐摩耗繊維１０ｂとが編み込まれることにより形成される。布体１０は、かご敷居７の溝の内面の側に低摩擦繊維１０ａと耐摩耗繊維１０ｂとを配置させる。
【００２２】
乗場ドア４が移動する際、案内装置８の一方は、乗場敷居６の溝に嵌った状態で移動する。この際、低摩擦繊維１０ａと乗場敷居６の溝の内面との接触により、案内装置８の一方は、円滑に移動する。その結果、案内装置８の一方と乗場敷居６の溝の内面とがこすれる際に発生する音が抑制される。さらに、耐摩耗繊維１０ｂと乗場敷居６の溝の内面との接触により、布体１０の摩耗が抑制される。
【００２３】
かごドア５が移動する際、案内装置８の他方は、かご敷居７の溝に嵌った状態で移動する。この際、低摩擦繊維１０ａとかご敷居７の溝の内面との接触により、案内装置８の他方は、円滑に移動する。その結果、案内装置８の他方とかご敷居７の溝の内面とがこすれる際に発生する音が抑制される。さらに、耐摩耗繊維１０ｂとかご敷居７の溝の内面との接触により、布体１０の摩耗が抑制される。
【００２４】
次に、図４を用いて、取付体９を説明する。
図４はこの発明の実施の形態１におけるエレベータドアの案内装置の正面図である。
【００２５】
図４に示すように、取付体９は、複数の取付穴９ｃを備える。複数の取付穴９ｃは、取付体９の取付部９ａに形成される。複数の取付穴９ｃは、水平方向に並んで形成される。複数の取付穴９ｃは、取付体９の取付部９ａが乗場ドア４の下部またはかごドア５の下部に固定される際にボルト１１により貫通される。
【００２６】
次に、図５を用いて、布体１０の固定方法を説明する。
図５はこの発明の実施の形態１におけるエレベータドアの案内装置の縦断面図である。
【００２７】
図５に示すように、布体１０は、取付体９の被案内部９ｂの外周面に接着剤１２を用いて接着される。この際、布体１０は、取付体９の被案内部９ｂとの間に弾性体を介在させることなく取付体９の被案内部９ｂの外周面に接着される。
【００２８】
例えば、低摩擦繊維１０ａは、フッ素樹脂で形成される。例えば、低摩擦繊維１０ａは、ポリテトラフルオロエチレンで形成される。例えば、耐摩耗繊維１０ｂは、ナイロンで形成される。例えば、耐摩耗繊維１０ｂは、ポリエステルで形成される。
【００２９】
以上で説明した実施の形態１によれば、布体１０は、乗場敷居６の溝の内面の側またはかご敷居７の溝の内面の側に低摩擦繊維１０ａと耐摩耗繊維１０ｂとを配置させる。このため、乗場敷居６の溝の内面またはかご敷居７の溝の内面とこすれる際に発生する音を抑制しつつ、案内装置８の寿命を長くすることができる。
【００３０】
また、布体１０は、緩衝作用を備える。このため、取付体９の被案内部９ｂと布体１０との間に弾性体を介在させなくても、エレベータドアを開閉させる際に円滑に移動させることができる。
【００３１】
なお、取付体９の被案内部９ｂの外周面から乗場敷居６の溝の内面の側またはかご敷居７の溝の内面の方向に層となるように複数の布体１０を設けてもよい。この際、複数の布体１０の各々にミシン目を入れて複数の布体１０を一枚ずつ剥がせるようにすればよい。この場合、最も外側の布体１０を剥がせば、新しい布体１０が乗場敷居６の溝の内面の側またはかご敷居７の溝の内面の側に露出する。このため、案内装置８の保守を容易に行うことができる。
【００３２】
実施の形態２．
図６はこの発明の実施の形態２におけるエレベータドアの案内装置の縦断面図である。なお、実施の形態１と同一又は相当部分には、同一符号が付される。当該部分の説明は省略される。
【００３３】
実施の形態２の布体１０は、実施の形態１の布体１０に高摩擦繊維１０ｃを付加したものである。高摩擦繊維１０ｃは、低摩擦繊維１０ａと耐摩耗繊維１０ｂとよりも取付体９の被案内部９ｂの側に配置される。
【００３４】
例えば、高摩擦繊維１０ｃは、取付体９の被案内部９ｂの外周面に接着剤１２を用いて接着される。この際、高摩擦繊維１０ｃは、取付体９の被案内部９ｂとの間に弾性体を介在させることなく取付体９の被案内部９ｂの外周面に接着される。
【００３５】
次に、図７を用いて、高摩擦繊維１０ｃを説明する。
図７はこの発明の実施の形態２におけるエレベータドアの案内装置に用いられた布体１０の断面図である。
【００３６】
図７において、高摩擦繊維１０ｃは、低摩擦繊維１０ａと耐摩耗繊維１０ｂとの一側に設けられる。例えば、高摩擦繊維１０ｃは、低摩擦繊維１０ａと耐摩耗繊維１０ｂとの一側に編み込まれる。例えば、高摩擦繊維１０ｃは、低摩擦繊維１０ａと耐摩耗繊維１０ｂとの一側に接着される。例えば、高摩擦繊維１０ｃは、ウレタンまたはポリエチレン繊維の単体もしくは混織布で形成される。
【００３７】
以上で説明した実施の形態２によれば、高摩擦繊維１０ｃは、低摩擦繊維１０ａと耐摩耗繊維１０ｂとよりも取付体９の被案内部９ｂの側に配置される。実施の形態２において、低摩擦繊維１０ａと耐摩耗繊維１０ｂとが摩耗すると、高摩擦繊維１０ｃが乗場敷居６の溝の内面またはかご敷居７の溝の内面に接触する。その結果、高摩擦繊維１０ｃと乗場敷居６の溝の内面またはかご敷居７の溝の内面とがこすれる際に音が発生する。当該音により、布体１０の交換時期を認識することができる。
【００３８】
実施の形態３．
図８はこの発明の実施の形態３におけるエレベータドアの案内装置の側面図である。図９はこの発明の実施の形態３におけるエレベータドアの案内装置の一部分を断面で示した正面図である。なお、実施の形態１と同一又は相当部分には、同一符号が付される。当該部分の説明は省略される。
【００３９】
実施の形態１の布体１０は、取付体９の被案内部９ｂの外周面に接着剤１２を用いて接着される。一方、実施の形態３の布体１０は、取付体９の被案内部９ｂの外周面に固定体１３を用いて着脱自在に固定される。締結体１４は、取付体９の被案内部９ｂの端部に対して固定体１３を着脱自在に固定する。
【００４０】
次に、図１０を用いて、布体１０の固定方法を説明する。
図１０はこの発明の実施の形態３におけるエレベータドアの案内装置の横断面図である。
【００４１】
図１０において、布体１０は、取付体９の被案内部９ｂの外周面を全体的に覆う。布体１０の一縁部と他縁部とは、取付体９の被案内部９ｂと固定体１３との間に挟み込まれる。その結果、布体１０は、取付体９の被案内部９ｂの外周を全体的に覆った状態に維持される。
【００４２】
布体１０が交換される際、締結体１４が取り外される。その後、固定体１３が取り外される。その後、布体１０が取り外される。その後、取付体９の被案内部９ｂの外周面は、新しい布体１０に覆われる。その後、固定体１３が取り付けられる。その後、締結体１４が取付けられる。
【００４３】
以上で説明した実施の形態３によれば、固定体１３は、取付体９の被案内部９ｂに対して布体１０を着脱自在に固定する。このため、布体１０のみを交換するだけで案内装置８の保守を行うことができる。その結果、案内装置８の維持費を安価にすることができる。
【００４４】
この際、接着剤１２は用いられない。このため、案内装置８は、環境から受ける外乱を受けにくい。例えば、案内装置８は、水の影響を受けにくい。例えば、案内装置８は、洗剤の影響を受けにくい。
【００４５】
実施の形態４．
図１１はこの発明の実施の形態４におけるエレベータドアの案内装置の縦断面図である。なお、実施の形態１と同一又は相当部分には、同一符号が付される。当該部分の説明は省略される。
【００４６】
実施の形態１の取付体９において、被案内部９ｂは、取付部９ａと一体的に形成される。一方、実施の形態４の取付体９において、被案内部９ｂは、取付部９ａと別に形成される。被案内部９ｂは、取付部９ａの下部に着脱自在に設けられる。
【００４７】
実施の形態４の取付体９において、取付部９ａは、板状に形成される。被案内部９ｂは、角筒状に形成される。被案内部９ｂの貫通孔は、取付部９ａの下部を上方から受け入れる。
【００４８】
以上で説明した実施の形態４によれば、被案内部９ｂは、取付部９ａと別に形成される。このため、取付体９の取付部９ａと被案内部９ｂとを単純な形状とすることができる。その結果、案内装置８を安価に製作することができる。さらに、案内装置８の保守を容易に行うことができる。
【符号の説明】
【００４９】
１  昇降路、  ２  乗場、  ３  かご、  ４  乗場ドア、  ５  かごドア、  ６  乗場敷居、  ７  かご敷居、  ８  案内装置、  ９  取付体、  ９ａ  取付部、  ９ｂ  被案内部、  ９ｃ  取付穴、  １０  布体、  １０ａ  低摩擦繊維、  １０ｂ  耐摩耗繊維、  １０ｃ  高摩擦繊維、  １１  ボルト、  １２  接着剤、  １３  固定体、  １４  締結体
【図１】
2017088253.tif 000003
【図２】
2017088253.tif 000004
【図３】
2017088253.tif 000005
【図４】
2017088253.tif 000006
【図５】
2017088253.tif 000007
【図６】
2017088253.tif 000008
【図７】
2017088253.tif 000009
【図８】
2017088253.tif 000010
【図９】
2017088253.tif 000011
【図１０】
2017088253.tif 000012
【図１１】
2017088253.tif 000013
【手続補正書】
【提出日】平成29年2月3日(2017.2.3)
【手続補正１】
【補正対象書類名】特許請求の範囲
【補正対象項目名】全文
【補正方法】変更
【補正の内容】
【特許請求の範囲】
【請求項１】
エレベータドアの下部に設けられ、エレベータの敷居の溝に案内される取付体と、
前記取付体の外周面に設けられ、前記溝の内面の側に低摩擦繊維と耐摩耗繊維とを配置させた布体と、
前記取付体に対して前記布体を着脱自在に固定する固定体と、
を備え、
前記取付体と前記固定体とは、前記布体の一縁部と他縁部との重なり部を挟み込むことにより、前記布体が前記取付体の外周面を全体的に覆った状態を維持するエレベータドアの案内装置。
【請求項２】
エレベータドアの下部に設けられ、エレベータの敷居の溝に案内される取付体と、
前記取付体の外周面から前記溝の内面の方向に層となるように設けられ、前記溝の内面の側に低摩擦繊維と耐摩耗繊維とを配置させた複数の布体と、
前記取付体に対して前記布体を着脱自在に固定する固定体と、
を備え、
前記取付体と前記固定体とは、前記複数の布体の一縁部と他縁部との重なり部を挟み込むことにより、前記複数の布体が前記取付体の外周面を全体的に覆った状態を維持するエレベータドアの案内装置。
【請求項３】
前記布体は、前記低摩擦繊維と前記耐摩耗繊維とよりも前記取付体の側に配置された高摩擦繊維を備えた請求項１または請求項２に記載のエレベータドアの案内装置。
【請求項４】
前記取付体は、
前記エレベータドアの下部に設けられた取付部と、
前記取付部の下部に着脱自在に設けられた被案内部と、
を備え、
前記布体は、前記被案内部の外周面に設けられた請求項１から請求項３のいずれか一項に記載のエレベータドアの案内装置。
【手続補正２】
【補正対象書類名】明細書
【補正対象項目名】０００６
【補正方法】変更
【補正の内容】
【０００６】
この発明に係るエレベータドアの案内装置は、エレベータドアの下部に設けられ、エレベータの敷居の溝に案内される取付体と、前記取付体の外周面に設けられ、前記溝の内面の側に低摩擦繊維と耐摩耗繊維とを配置させた布体と、前記取付体に対して前記布体を着脱自在に固定する固定体と、を備え、前記取付体と前記固定体とは、前記布体の一縁部と他縁部との重なり部を挟み込むことにより、前記布体が前記取付体の外周面を全体的に覆った状態を維持する。
【手続補正３】
【補正対象書類名】明細書
【補正対象項目名】０００７
【補正方法】変更
【補正の内容】
【０００７】
この発明に係るエレベータドアの案内装置は、エレベータドアの下部に設けられ、エレベータの敷居の溝に案内される取付体と、前記取付体の外周面から前記溝の内面の方向に層となるように設けられ、前記溝の内面の側に低摩擦繊維と耐摩耗繊維とを配置させた複数の布体と、前記取付体に対して前記布体を着脱自在に固定する固定体と、を備え、前記取付体と前記固定体とは、前記複数の布体の一縁部と他縁部との重なり部を挟み込むことにより、前記複数の布体が前記取付体の外周面を全体的に覆った状態を維持する。